(57)【要約】【課題】同軸コネクタを包装する容器であると同時に、同軸ケーブルとの接続時に治具機能を果たし得るパッケージ容器を提供することを目的とする。【解決手段】同軸コネクタ１０のパッケージ容器において、底壁、側壁および上壁の各部材によって構成され、複数個の同軸コネクタを同姿勢で整列した状態として収容する空間を有し、この空間を取り囲み前記同軸コネクタを出し入れするための穴が何れかに形成された壁面部材１１０，１２０，１３０をそなえたことを特徴とするパッケージ容器。【選択図】図２
0003130722.tif 000002
【実用新案登録請求の範囲】
【請求項１】
同軸コネクタのパッケージ容器において、
底壁、側壁および上壁の各部材によって構成され、複数個の同軸コネクタを同姿勢で整列した状態として収容する空間を有し、この空間を取り囲み前記同軸コネクタを出し入れするための穴が何れかに形成された壁面部材
をそなえたことを特徴とするパッケージ容器。
【請求項２】
請求項１記載のパッケージ容器において、
前記壁面部材は、開閉自在であって閉状態で前記同軸コネクタの一部を押えておき、開状態で前記同軸コネクタを引き出しうるように設けられた上面部材を有することを特徴とするパッケージ容器。
【請求項３】
請求項１記載のパッケージ容器において、
前記壁面部材は、前記同軸コネクタを個別に押出すための穴が設けられた底面部材を有することを特徴とするパッケージ容器。
【請求項４】
請求項１記載のパッケージ容器において、
前記壁面部材は、前記同軸コネクタを１個ずつ取り出すための穴を持った上面部材を有することを特徴とするパッケージ容器。
【請求項５】
請求項１記載のパッケージ容器において、
前記壁面部材は、前記同軸コネクタに同軸ケーブルを接続する際に加わる力に耐え得る強度を有することを特徴とするパッケージ容器。
【考案の詳細な説明】
【技術分野】
【０００１】
本考案は、実装する前の同軸コネクタを収容するパッケージ容器に係わり、とくに同軸コネクタに同軸ケーブルを接続する際の作業に便利なパッケージ容器に関する。
【背景技術】
【０００２】
同軸コネクタは、同軸ケーブルを接続して利用される。この接続作業は、予め端部処理した同軸ケーブルに、同軸コネクタを１つずつ装着することにより行う。この際、同軸ケーブルと同軸コネクタとの間に、ある程度強い力を懸ける必要がある。
【考案の開示】
【考案が解決しようとする課題】
【０００３】
しかし、同軸コネクタは指先で摘む程度の大きさであるから、力を懸ける作業はし難い。
【０００４】
本考案は上述の点を考慮してなされたもので、同軸コネクタを包装する容器であると同時に、同軸ケーブルとの接続時に治具機能を果たし得るパッケージ容器を提供することを目的とする。
【課題を解決するための手段】
【０００５】
上記目的達成のため、本考案では、
同軸コネクタのパッケージ容器において、
底壁、側壁および上壁の各部材によって構成され、複数個の同軸コネクタを同姿勢で整列した状態として収容する空間を有し、この空間を取り囲み前記同軸コネクタを出し入れするための穴が何れかに形成された壁面部材をそなえたことを特徴とするパッケージ容器、
を提供するものである。
【考案の効果】
【０００６】
本考案は上述のように、同軸コネクタを同姿勢で整列した状態で収容するとともに、収容された同軸コネクタを出し入れするための穴が何れかの壁面部材に形成された構造であるので、パッケージ容器に収容された状態の同軸コネクタに同軸ケーブルを接続することができる。
【考案を実施するための最良の形態】
【０００７】
以下、添付図面を参照して本考案の実施の形態を説明する。
【実施例１】
【０００８】
図１は、本考案で実現し得る同軸コネクタの収容時の状態であり、複数、図示の場合１０個の同軸コネクタ１０が同姿勢で整列されており、かつ同軸ケーブル２０と接続可能な状態となっている。
【０００９】
一方、同軸ケーブル２０は、Ｆ型コネクタに差し込まれたときF型コネクタの中心導体になる芯線２１が突出し、絶縁層２２が若干露出して編組２３が外被２４の端部で折り返されている。
【００１０】
この同軸ケーブル２０を、F側コネクタ１０の円筒状部１１に、図示の場合、上側から差し込む。そして、円筒状部１１に仮留めされているかしめリング１３をプライヤなどでかしめると、編組２３および外被２４が円筒状部１１の外周に圧接された状態となり、そのまま固定される。これにより、F型コネクタ１０と同軸ケーブル２０とが強固に接続される。６角ナット部１２は、同軸コネクタ１０を図示しない同軸コネクタの座に取り付ける際に用いられる。
【００１１】
図２(a)，(b)は、複数の同軸コネクタ１０を図１に示した状態で収容保持した本考案の実施例１を示しており、図２(a)は全体形状を、また図２(b)は半割形状をそれぞれ示している。
【００１２】
すなわち、パッケージ容器１００は、底壁１１０、側壁１２０、上壁１３０を有する６面体として構成されており、底壁１１０および側壁１２０には同軸コネクタ１０の収容個数分の部材が設けられ、上壁１３０には全ての同軸コネクタ１０の飛び出し防止を兼ねた一対の細長い蓋状部材が対向するように設けられている。
【００１３】
底壁１１０には、同軸コネクタ１０の芯線突出位置に空いた穴１１１、およびこの穴１１１の周囲に穴１１１の部分を構成していた底壁部材を切り起こして形成した位置決め部材１１２が設けられている。
【００１４】
また、側壁１２０は、長壁部材１２１および端壁部材１２２により構成されており、長壁部材１２１には、位置決め部材１１２と協働して同軸コネクタ１０の遊びを抑える押え部材１２３が切り起こされており、端壁部材１２２には噛み合いによる組立構造が設けられている。
【００１５】
図２(a)，(b)の場合、パッケージされた状態で同軸コネクタが所定個数揃っているか否かを視認することができる。また、このパッケージ容器を厚紙で作成するとして、その所要量は僅かであるから環境負荷が軽く、その面でも優れている。
【００１６】
図３は、実施例１を厚紙によって構成した場合の部分展開図であり、とくに端壁部材１２２の構造を示している。すなわち、端壁部材１２２は、縦方向に２分割されるもので、各半部には櫛歯状の凹凸が設けられており、この櫛歯状の凹凸を噛み合わせることにより、図２(a)に示したパッケージ容器として組み上がる。したがって、櫛歯を組み合わせる前の展開されている状態で、底壁１１０の上に同軸コネクタ１０を同姿勢で整列してから櫛歯を噛み合わせる。
【００１７】
こうして同軸コネクタ１０を収容した状態では、パッケージ容器とそこに収容された同軸コネクタとが一体的であるから、全体的に一つの構造体となっている。
【００１８】
このため、パッケージ容器１００に収容された状態の同軸コネクタ１０に同軸ケーブル２０を差し込むことができ、その際にパッケージ容器１００が、このパッケージ容器１００に収容された他の同軸コネクタ１０とともに治具の役割を果たす。そして、同軸コネクタ１０の一つずつに同軸ケーブルを接続し、全ての接続が終了したらパッケージ容器１００を廃棄する。
【実施例２】
【００１９】
図４は、本考案の実施例２の全体形状を示す斜視図である。この実施例２は、パッケージ容器１００を樹脂製薄板で作成する場合に適当な構造であり、例えば組立ての際は熱溶着の手法を採ることができる。
【００２０】
この場合、パッケージ容器１００の上壁部材１３０は、実施例１におけるような開閉式の可動構造ではなく、固定構造であって例えば一端側に同軸コネクタ取り出し用の穴が開いている。
【００２１】
そこで、この穴を利用して同軸ケーブルを取り付けた同軸コネクタを取り出しては、次の同軸コネクタに同軸ケーブルを接続する、という作業を繰返す。その際、パッケージ容器１００が同軸コネクタを支持する治具となる。
【図面の簡単な説明】
【００２２】
【図１】本考案の対象である同軸コネクタを同姿勢で整列させた状態を示す説明図。
【図２】図２(a)，(b)は、本考案の実施例１の構成を示す説明図。
【図３】図２に示した実施例１の細部構造を示す説明図。
【図４】本考案の実施例２を示す説明図。
【符号の説明】
【００２３】
１０  同軸コネクタ、１１  ６角ナット部、１２  円筒状部、
１３  かしめリング、２０  同軸ケーブル、２１  芯線、２２  絶縁層、
２３  編組、２４  外被、１１０  底面部材、１１１  穴、
１１２  切起し部材、１２１  長壁部材、１２２  端壁部材、
１２３  押え部材、１３０  上壁部材。
【図１】
0003130722.tif 000003
【図２】
0003130722.tif 000004
【図３】
0003130722.tif 000005
【図４】
0003130722.tif 000006